(57)【要約】【課題】ユーザーの利便性を向上することができる表示装置を提供する。【解決手段】表示装置１３は、第一の受け付け部３１と、判断部３２と、表示制御部３３とを備える。第一の受け付け部３１は、複数のリストの表示の要求を受け付ける。判断部３２は、第一の受け付け部３１により表示の要求を受け付ければ、リスト毎に項目の並び方向において表示画面の表示領域内に全ての項目が表示できるか否かを判断する。表示制御部３３は、複数のリストを表示領域に順次表示する際に、判断部３２により全ての項目が表示できないと判断されたリストについて、リスト中の全ての項目を一旦表示してから全ての項目のうちの一部を表示するよう制御する。【選択図】図２
2018120477.tif 000002
【特許請求の範囲】
【請求項１】
所定のカテゴリー毎に分類され、複数の項目が所定の順序で並べられた複数のリストを表示可能な表示装置であって、
情報を表示する表示画面と、
複数の前記リストの表示の要求を受け付ける第一の受け付け部と、
前記第一の受け付け部により前記表示の要求を受け付ければ、前記リスト毎に前記項目の並び方向において前記表示画面の表示領域内に全ての前記項目が表示できるか否かを判断する判断部と、
複数の前記リストを前記表示領域に順次表示する際に、前記判断部により全ての前記項目が表示できないと判断された前記リストについて、前記リスト中の全ての前記項目を一旦表示してから全ての前記項目のうちの一部を表示するよう制御する表示制御部とを備える、表示装置。
【請求項２】
前記表示制御部は、前記判断部により全ての前記項目が表示できないと判断された前記リストについて、並び方向の最も後ろに配置される前記項目から前に向かってスクロールして前記項目を表示するよう制御する、請求項１に記載の表示装置。
【請求項３】
前記表示制御部は、前記判断部により全ての前記項目が表示できないと判断された前記リストについて、前記表示領域内に収まるよう前記リストを縮小してから表示した後に、徐々に前記リストを拡大して全ての前記項目のうちの一部を表示するよう制御する、請求項１に記載の表示装置。
【請求項４】
前記表示制御部は、前記判断部により全ての前記項目が表示できないと判断された前記リストについて、所定の時間前記リスト中の全ての前記項目を表示するよう制御する、請求項１〜請求項３のいずれか１項に記載の表示装置。
【請求項５】
前記表示制御部は、前記リストに属する項目が全くなければ、その旨を前記リストに表示するよう制御する、請求項１〜請求項４のいずれか１項に記載の表示装置。
【請求項６】
前記表示制御部は、前記リストに属する前記項目の数に応じた順に前記リストを切り替えて前記表示領域に表示するよう制御する、請求項１〜請求項５のいずれか１項に記載の表示装置。
【請求項７】
前記リスト内の前記項目の選択を受け付ける第二の受け付け部と、
前記第二の受け付け部による前記選択を受け付けられた前記項目の選択の頻度を記憶するよう制御する記憶制御部とをさらに備え、
前記表示制御部は、記憶された前記項目の選択の頻度の数に応じて、前記項目を含む前記リストから順に表示するよう制御する、請求項１〜請求項６のいずれか１項に記載の表示装置。
【請求項８】
前記表示制御部は、前記リストをタブの形式で表示するよう制御する、請求項１〜請求項７のいずれか１項に記載の表示装置。
【請求項９】
所定のカテゴリー毎に分類され、複数の項目が所定の順序で並べられた複数のリストを表示可能な表示方法であって、
複数の前記リストの表示の要求を受け付ける工程と、
前記受け付ける工程により前記表示の要求を受け付ければ、前記リスト毎に前記項目の並び方向において表示画面の表示領域内に全ての前記項目が表示できるか否かを判断する工程と、
複数の前記リストを前記表示領域に順次表示する際に、前記判断する工程により全ての前記項目が表示できないと判断された前記リストについて、前記リスト中の全ての前記項目を一旦表示してから全ての前記項目のうちの一部を表示するよう制御する工程とを備える、表示方法。
【請求項１０】
コンピューターに、
所定のカテゴリー毎に分類され、複数の項目が所定の順序で並べられた複数のリストの表示の要求を受け付ける受け付け機能、
前記表示の要求を受け付ければ、前記リスト毎に前記項目の並び方向において表示画面の表示領域内に全ての前記項目が表示できるか否かを判断する判断機能、および
複数の前記リストを前記表示領域に順次表示する際に、前記判断機能により全ての前記項目が表示できないと判断された前記リストについて、前記リスト中の全ての前記項目を一旦表示してから全ての前記項目のうちの一部を表示するよう制御する表示制御機能を実現させるためのプログラム。
【発明の詳細な説明】
【技術分野】
【０００１】
この発明は、表示装置、表示方法、およびプログラムに関するものである。
【背景技術】
【０００２】
情報の表示に関する技術が、特開平４−２３４７８９号公報（特許文献１）、および特開２０１５−９０６４９号公報（特許文献２）に開示されている。
【０００３】
特許文献１に開示のウィンドウシステムは、画面上に１つまたは複数のウィンドウを開いて各ウィンドウ内にテキスト、図形等を表示するようにしたウィンドウシステムにおいて、予め定めたウィンドウが開いたなら自動的にその表示内容をスクロールする手段を具備したことを特徴としている。
【０００４】
特許文献２に開示の情報端末装置は、表示部と、前記表示部の画面の表示を所定の第一方向にスクロールする画面スクロール部と、前記画面に表示された情報を取得する表示情報取得部と、前記画面に表示された前記情報にコンテンツが存在するか否か判別する表示コンテンツ検出部と、前記第一方向の一画面分に前記コンテンツの存在が確認できない場合に前記第一方向と交差する第二方向に対して前記コンテンツが存在するか否か判別する非表示コンテンツ検出部と、前記コンテンツの存在が確認できた場合に前記画面の表示のスクロールを停止させて前記画面の表示位置を決定する表示位置決定部と、を備えることを特徴としている。
【先行技術文献】
【特許文献】
【０００５】
【特許文献１】特開平４−２３４７８９号公報
【特許文献２】特開２０１５−９０６４９号公報
【発明の概要】
【発明が解決しようとする課題】
【０００６】
特許文献１および特許文献２によると、最初に表示された表示画面において、リストを構成する項目が全体としてどの程度の数があるのか、把握することが困難な場合がある。そうすると、項目を選択する際にユーザーが表示画面のスクロールを試みなければならず、ユーザーの操作が煩雑となってしまう。その結果、ユーザーの利便性を損ねてしまうことになる。
【０００７】
この発明の目的は、ユーザーの利便性を向上することができる表示装置、表示方法、およびプログラムを提供することである。
【課題を解決するための手段】
【０００８】
この発明の一の局面においては、表示装置は、所定のカテゴリー毎に分類され、複数の項目が所定の順序で並べられた複数のリストを表示可能である。表示装置は、表示画面と、第一の受け付け部と、判断部と、表示制御部とを備える。表示画面は、情報を表示する。第一の受け付け部は、複数のリストの表示の要求を受け付ける。判断部は、第一の受け付け部により表示の要求を受け付ければ、リスト毎に項目の並び方向において表示画面の表示領域内に全ての項目が表示できるか否かを判断する。表示制御部は、複数のリストを表示領域に順次表示する際に、判断部により全ての項目が表示できないと判断されたリストについて、リスト中の全ての項目を一旦表示してから全ての項目のうちの一部を表示するよう制御する。
【発明の効果】
【０００９】
このような表示装置によると、複数のリストを順次切り替えて表示画面の表示領域に表示する際に、全ての項目が表示できないと判断されたリストについて、リスト中の全ての項目を一旦表示してから全ての項目のうちの一部を表示することとしている。そうすると、所定のカテゴリー毎に分類されているリストの全容の把握が容易になる。この場合、ユーザーの煩雑な操作は要しない。したがって、ユーザーの利便性を向上することができる。
【００１０】
また、このような表示方法、およびプログラムによると、ユーザーの利便性を向上することができる。
【図面の簡単な説明】
【００１１】
【図１】この発明の一実施形態に係る表示装置の一例の携帯端末装置の外観を示す図である。
【図２】図１に示す携帯端末装置の構成を示すブロック図である。
【図３】表示画面の表示領域に表示されたリストの一例を示す図である。
【図４】表示装置を含む携帯端末装置を用いて複数のリストを表示する場合の処理の流れを示すフローチャートである。
【図５】「あ」行の姓のリストの長さＬ２を算出する際の概念図である。
【図６】「あ」行の姓のリストが表示される際の表示画面を示す図である。
【図７】項目が表示された場合の表示画面を示す図である。
【図８】「か」行の姓のリストが表示される際の表示画面を示す図である。
【図９】何も属する項目がない場合の表示画面の一例を示す図である。
【図１０】複数のリストを縮小して同時に並べて表示する際の処理の流れを示すフローチャートである。
【図１１】各リストを縮小して、同時に並べて表示した表示画面の一例の一部を示す図である。
【図１２】この発明のさらに他の実施形態に係る表示装置を含む情報処理装置を複合機に適用した場合の複合機の構成を示すブロック図である。
【図１３】複数に分類された機能のアイコンを表示する際の処理の流れを示すフローチャートである。
【図１４】複数のアイコンが並べて表示された表示画面の一例を示す図である。
【図１５】アイコンの選択が受け付けられた場合に表示される表示画面の一例を示す図である。
【図１６】中央から最も遠い機能の詳細設定を表示した場合の表示画面の一例を示す図である。
【発明を実施するための形態】
【００１２】
以下、この発明の実施の形態について説明する。図１は、この発明の一実施形態に係る表示装置の一例の携帯端末装置の外観を示す図である。図２は、図１に示す携帯端末装置の構成を示すブロック図である。
【００１３】
図１および図２を参照して、携帯端末装置１１は、携帯端末装置制御部１２と、表示装置１３と、テンキー１４と、機能選択キー１５とを備える。なお、携帯端末装置１１は、たとえば、外部の電子機器と通信可能に構成されている。
【００１４】
携帯端末装置制御部１２は、表示装置１３を含む携帯端末装置１１自身を制御する。ユーザーは、テンキー１４の押下により、０〜９までの数値やＡ〜Ｚまでのアルファベット等を入力することができる。また、ユーザーは、機能選択キー１５の所定の箇所を押下して、種々の操作を行うことができる。例えば、携帯端末装置１１における携帯電話機能を選択して、機能選択キー１５の押下により通話を開始したり、通話を終了させたりする。
【００１５】
次に、表示装置１３の構成について説明する。表示装置１３は、表示画面１６と、記憶部としての不揮発性メモリ１７とを含む。表示画面１６は、情報を表示する。表示画面１６は、矩形状に囲われた図１中の破線で示す表示領域１８で、後述するリストを表示する。不揮発性メモリ１７は、種々のデータを記憶する。具体的には、たとえば、不揮発性メモリ１７は、所定のカテゴリー毎に分類され、複数の項目が所定の順序で並べられた複数のリストの情報を記憶する。表示画面１６は、携帯端末装置１１における情報の表示に際して、ユーザーへの出力のインターフェースとなる。すなわち、表示画面１６において、携帯端末装置１１における種々の情報を表示すると共に、ユーザーによる入力内容等を表示する。表示画面１６は、タッチパネル型式であり、ユーザーから携帯端末装置１１に対する入力のインターフェースにもなる。すなわち、ユーザーは、表示画面１６に表示される内容を見て、指を使ってアイコンへのタップ等を行うことにより、携帯端末装置１１への実行の命令の入力等の操作を行う。
【００１６】
表示装置１３は、所定のカテゴリー毎に複数に分類され、項目が所定の順序で並べられた複数のリストを表示可能である。所定のカテゴリーとしては、たとえば、いわゆるアドレス帳のような個人情報が後述する不揮発性メモリ１７に記憶された人物の氏名のカテゴリーがある。複数に分類されたグループとしては、「あ」行の名前、「か」行の名前、といった名前の５０音順の行毎に分類されたグループである。項目としては、たとえば、各人物の名前、具体的には「青木」や「加藤」といった姓である。
【００１７】
図３は、表示画面１６の表示領域１８に表示されたリストの一例を示す図である。図３を参照して、表示画面１６の表示領域１８には、複数のリスト２１ａ、２１ｂ、２１ｃ、２１ｄ、２１ｅ、２１ｆ、２１ｇ、２１ｈ、２１ｉ、２１ｊから構成されるアドレス帳のうちの一部のリスト２１ｅが表示されている。リスト２１ｅは、矩形状であって、いわゆる横長の形状である。リスト２１ａ〜２１ｊは、矢印Ｄ２で示す方向に並んでタブ形式で表示されている。各リスト２１ａ〜２１ｊは、グループ毎、この場合、５０音順の行といったカテゴリーについて分類されたグループ毎に設けられている。「あ」行の姓についてはリスト２１ａ、「か」行の姓についてはリスト２１ｂといった具合である。図３に示す場合においては、「な」行の姓に属するグループである「長野」という項目２２ａ、「西村」という項目２２ｂ、「根本」という項目２２ｃ、「野島」という項目２２ｄがリスト２１ｅに表示されている。
【００１８】
項目２２ａ〜２２ｄは、いわゆる「あいうえお」順に矢印Ｄ１で示す向きに沿って上から並べて配置され、表示されている。リスト２１ｅで示す「な」行の姓のグループに属する項目２２ａ〜２２ｄは合計４つである。すなわち、不揮発性メモリ１７に記憶されている「な」行の姓のグループに属する項目２２ａ〜２２ｄは、４つである。リスト２１ｅの並び方向の長さ、具体的にはリスト２１ｅの上端部２５ａから下端部２５ｂまでの図３中の矢印Ｄ１で示す並び方向の長さは、図１に示す表示領域１８の縦方向の長さであり、長さＬ１で示される。長さＬ１については、項目２２ａ〜２２ｄが仮に５つ並び方向である縦方向に並んだ際に全て表示される程度の長さである。なお、矢印Ｄ１で示す方向と矢印Ｄ２で示す方向とは垂直な方向で交差する。
【００１９】
リスト２１ｅの右端には、矩形状のバー２６が表示されている。バー２６の上側には、タップによりバー２６を上側へ移動させると共に、項目２２ａ〜２２ｄの表示を上側へずらすアイコン２７ａが表示されている。バー２６ｂの下側には、タップによりバー２６を下側へ移動させると共に、項目２２ａ〜２２ｄの表示を下側へずらすアイコン２７ｂが表示されている。項目２２ａ〜２２ｄの並び方向の長さについては、長さＬ２で示される。この場合、長さＬ１の方が長さＬ２よりも長いため、「な」行の姓で分類されたグループについては、全ての項目２２ａ〜２２ｄに一度にリスト２１ｅに表示可能な構成である。また、全ての項目２２ａ〜２２ｄが既にリスト２１ｅに表示されているため、アイコン２７ａまたはアイコン２７ｂをタップしても、表示が上下方向にずれることはない。これは、アイコン２７ａからアイコン２７ｂまで延びる形状のバー２６を視認することによっても明らかである。なお、各リスト２１ａ〜２１ｊを構成する項目については、リスト２１ａ、リスト２１ｂ、最後にリスト２１ｊといったいわゆる「あかさたな」順に、リスト２１ａ〜２１ｊの表示を所定の速度で移行させる際に表示される。
【００２０】
ここで、携帯端末装置制御部１２は、第一の受け付け部３１と、判断部３２と、表示制御部３３とを含む。第一の受け付け部３１は、リスト２１ａ〜２１ｊの表示の要求を受け付ける。判断部３２は、第一の受け付け部３１により表示の要求を受け付ければ、リスト２１ａ〜２１ｊ毎に項目の並び方向において表示画面１６の表示領域１８内に全ての項目が表示できるか否かを判断する。表示制御部３３は、複数のリスト２１ａ〜２１ｊを表示領域１８に順次表示する際に、判断部３２により全ての項目が表示できないと判断されたリストについて、リスト中の全ての項目を一旦表示してから全ての項目のうちの一部を表示するよう制御する。これらの構成については、後に詳述する。
【００２１】
次に、表示装置１３を含む携帯端末装置１１を用いて複数のリスト２１ａ〜２１ｊを表示する場合について説明する。図４は、表示装置１３を含む携帯端末装置１１を用いて複数のリスト２１ａ〜２１ｊを表示する場合の処理の流れを示すフローチャートである。
【００２２】
図１〜図４を参照して、まず、第一の受け付け部３１は、表示の要求を受け付けたか否かを判断する（図４において、ステップＳ１１、以下、「ステップ」を省略する）。この場合、たとえば、タッチパネル型式の表示画面１６において、ユーザーの指によるタッチや、上記したアドレス帳に関連して表示画面１６に表示されているアイコン（図示せず）へのタップ等を検知したかにより判断される。
【００２３】
第一の受け付け部３１により表示の要求を受け付けられると（Ｓ１１において、ＹＥＳ）、判断部３２は、リスト２１ａ〜２１ｊ毎に項目の並び方向において表示画面１６の表示領域１８内に全ての項目が表示できるか否かを判断する（Ｓ１２）。具体的には、項目を並べた際の矢印Ｄ１で示す並び方向の長さＬ２をリスト２１ａ〜２１ｊ毎に算出する。この場合、項目の数に応じて、長さＬ２が変化する。具体的には、項目の数が多くなればなるほど、長さＬ２が長くなる。そして、算出された長さＬ２が、長さＬ１と比較して長いか否かが判断される。
【００２４】
図５は、「あ」行の姓のリスト２１ａの長さＬ２を算出する際の概念図である。図５を参照して、「あ」行の姓のグループについては「青木」という項目２３ａ、「赤井」という項目２３ｂ、「秋元」という項目２３ｃ、「浅井」という項目２３ｄ、「井上」という項目２３ｅ、中略して「江藤」という項目２３ｆ、「榎本」という項目２３ｇ、「大西」という項目２３ｈ、「大山」という項目２３ｉ、「岡田」という項目２３ｊから構成されている。そして、項目２３ａ〜２３ｊを並べた並び方向の長さは、上端部２５ａから仮想の破線で示す下端部２５ｃまでの長さＬ２で示される。
【００２５】
ここで、表示制御部３３は、複数のリスト２１ａ〜２１ｊを表示領域１８に順次表示する際に、判断部３２により全ての項目が表示できないと判断されたリスト２１ａについて、リスト２１ａ中の全ての項目を一旦表示してから全ての項目のうちの一部を表示するよう制御する（Ｓ１３）。ここでは、まずリスト２１ａにおいて長さＬ２は長さＬ１よりも長いので、リスト２１ａ中の全ての項目２３ａ〜２３ｊを一旦表示してから全ての項目２３ａ〜２３ｊのうちの一部を表示するよう制御する。この場合、表示制御部３３は、並び方向の最も後ろに配置される項目２３ｊから前に向かってスクロールして項目２３ａ〜２３ｊを表示するよう制御する。具体的には、表示制御部３３は、以下のように表示するよう制御する。
【００２６】
図６は、「あ」行の姓のリスト２１ａが表示される際の表示画面１６を示す図である。図６を参照して、表示制御部３３により、表示画面１６の表示領域１８には、並び方向の最も後ろに配置される項目２３ｊがまず表示される。この場合、項目２３ｊの前に配置される項目２３ｆ、項目２３ｇ、項目２３ｈ、項目２３ｉも併せて表示されることなる。その後、前に向かって、この場合、矢印Ｄ１で示す向きと逆向きにリスト２１ａをスクロールさせる。そうすると、項目２３ｈの前側に配置される項目２３ｆ、項目２３ｇが次々とリスト２１ａの表示領域１８に表示される。そして、最後に最も前に配置される項目２３ａが表示される。
【００２７】
図７は、項目２３ａが表示された場合の表示画面１６を示す図である。図７を参照して、表示画面１６には、項目２３ａ、２３ｂ、２３ｃ、２３ｄ、２３ｅが縦方向に並んで配置されて表示されている。項目２３ａが最も前に配置されている。
【００２８】
その後、次に表示すべきリスト２１ｂ〜２１ｊがあれば（Ｓ１４において、ＮＯ）、次のリスト２１ｂへ移行して表示する（Ｓ１６）。具体的には、矢印Ｄ２の方向にある次のリスト２１ｂが表示される。リスト２１ｂを表示する場合も、長さＬ２が長さＬ１よりも長いか否かが判断される。そして、長さＬ２が長さＬ１よりも長いと判断されれば、上述と同じように並び方向の最も後ろに配置される項目から前に向かってスクロールして図８に示すように、項目２４ａ、２４ｂ、２４ｃ、２４ｄ、２４ｅを表示するよう制御する。図８は、「か」行の姓のリスト２１ｂが表示される際の表示画面１６を示す図である。なお、図３で示すリスト２１ｅのように、長さＬ２が長さＬ１よりも短いと判断されれば（Ｓ１２において、ＹＥＳ）、そのまま、すなわち、スクロールなしで一定時間表示される（Ｓ１５）。
【００２９】
このようにして、全てのリスト２１ａ〜２１ｊが表示制御部３３によって表示される（Ｓ１４において、ＮＯ、Ｓ１６）。そして、全てのリスト２１ａ〜２１ｊの表示が一旦終了した後、再びリスト２１ａの一部を表示して停止する（Ｓ１４において、ＹＥＳ、Ｓ１７）。
【００３０】
このような表示装置１３を含む携帯端末装置１１によると、複数のリスト２１ａ〜２１ｊを順次切り替えて表示画面１６の表示領域１８に表示する際に、全ての項目２３ａ〜２３ｊが表示できないと判断されたリスト２１ａについて、リスト２１ａ中の全ての項目２３ａ〜２３ｊを一旦表示してから全ての項目２３ａ〜２３ｊのうちの一部を表示することとしている。そうすると、所定のカテゴリー毎に分類されているリスト２１ａ〜２１ｊの全容の把握が容易になる。この場合、ユーザーの煩雑な操作は要しない。したがって、ユーザーの利便性を向上することができる。
【００３１】
この場合、表示制御部３３は、リスト２１ａを表示する際に、並び方向の最も後ろに配置される項目２３ｊから前に向かってスクロールして項目２３ａ〜２３ｊを表示するよう制御しているため、よりリスト２１ａを構成する項目２３ａ〜２３ｊの全容を容易に把握することができる。
【００３２】
なお、上記の実施の形態においては、タブの形式で表示することとしたが、このようなタブの形式で表示する場合、特定の項目、若しくは所定の設定項目のみを表示してこのような構成とすることにしてもよい。
【００３３】
また、上記の実施の形態において、リストに属する項目が全くなければ、その旨をリストに表示するようにしてもよい。すなわち、たとえば、「ら」行の姓のリスト２１ｉに属する項目が、不揮発性メモリ１７に何も記憶されていない場合には、何も属する項目がない旨を表示するようにしてもよい。
【００３４】
図９は、何も属する項目がない場合の表示画面１６の一例を示す図である。図９を参照して、リスト２ｉに示される「ら」行の姓の項目が全くない場合には、項目が全くないことを示す丸印の中にバツの印が入ったマーク２８を表示する。このように構成することにより、リスト２１ｉに属する項目が全くないことをユーザーは、リスト２１ｉが表示された際に認識することができる。なお、単なる文字でのメッセージ等により項目が全くない旨を表示することにしてもよい。
【００３５】
また、上記の実施の形態において、リストに属する項目が全くなければ、複数のリスト２１ａ〜２１ｊを順次表示する際に、項目が全くないリストの表示を省略することとしてもよい。例えば、リスト２１ｉに属する項目が全くなければ、リスト２１ｈの表示後、リスト２１ｉの表示を飛ばして、リスト２１ｊへ表示を移行することにしてもよい。
【００３６】
なお、上記の実施の形態において、表示制御部３３は、判断部３２により全ての項目が表示できないと判断されたリストについて、表示領域１８内に収まるようリストを縮小してから表示した後に、徐々にリストを拡大して全ての項目のうちの一部を表示するよう制御することとしてもよい。こうすることにより、縮小時においては、文字の表示が小さくて項目の一つ一つを判別することは困難であっても、スクロールせずに所定のカテゴリー毎に分類されているリストの全容の把握が容易になる。
【００３７】
また、上記の実施の形態において、表示制御部３３は、リストに属する項目の数に応じた順にリストを切り替えて表示領域１８に表示するよう制御することとしてもよい。こうすることにより、切り替えて表示されるリストの順序に応じて、リストに属する項目の数を把握することができる。
【００３８】
なお、上記の実施の形態において、表示装置１３は、リスト内の項目の選択を受け付ける第二の受け付け部と、第二の受け付け部による選択を受け付けられた項目の選択の頻度を記憶するよう制御する記憶制御部とをさらに備える構成とする。そして、表示制御部３３は、記憶された項目の選択の頻度の数に応じて、項目を含むリストから順に表示するよう制御することとしてもよい。こうすることにより、より選択の頻度の多い項目を含むリストから順に表示されるため、よりユーザーの利便性の向上を図ることができる。
【００３９】
また、上記の実施の形態において、携帯端末装置制御部１２が、第一の受け付け部３１等を備えることとしたが、これに限らず、表示装置１３自体が制御部を含み、この制御部に第一の受け付け部３１等を備える構成としてもよい。
【００４０】
なお、この発明の他の実施形態に係る表示方法については、以下の構成としてもよい。すなわち、表示方法は、所定のカテゴリー毎に分類され、複数の項目が所定の順序で並べられた複数のリストを表示可能な表示方法である。表示方法は、複数のリストの表示の要求を受け付ける工程と、受け付ける工程により表示の要求を受け付ければ、リスト毎に項目の並び方向において表示画面の表示領域内に全ての項目が表示できるか否かを判断する工程と、複数のリストを表示領域に順次表示する際に、判断する工程により全ての項目が表示できないと判断されたリストについて、リスト中の全ての項目を一旦表示してから全ての項目のうちの一部を表示するよう制御する工程とを備える。このような表示方法によると、ユーザーの利便性を向上することができる。
【００４１】
また、この発明のさらに他の実施形態に係るプログラムは、以下の構成としてもよい。すなわち、プログラムは、コンピューターに、所定のカテゴリー毎に分類され、複数の項目が所定の順序で並べられた複数のリストの表示の要求を受け付ける受け付け機能、表示の要求を受け付ければ、リスト毎に項目の並び方向において表示画面の表示領域内に全ての項目が表示できるか否かを判断する判断機能、および複数のリストを表示領域に順次表示する際に、判断機能により全ての項目が表示できないと判断されたリストについて、リスト中の全ての項目を一旦表示してから全ての項目のうちの一部を表示するよう制御する表示制御機能を実現させるためのプログラムであってもよい。
【００４２】
なお、以下のような構成とすることもできる。すなわち、表示装置１３は、所定のカテゴリー毎に複数に分類され、属する項目が所定の順序で並べられた複数のリスト２１ａ〜２１ｊを表示可能である。表示装置１３は、表示画面１６と、第一の受け付け部３１と、判断部３２と、表示制御部３３とを備える。表示画面１６は、情報を表示する。第一の受け付け部３１は、複数のリスト２１ａ〜２１ｊの表示の要求を受け付ける。判断部３２は、第一の受け付け部３１により表示の要求を受け付ければ、リスト２１ａ〜２１ｊ毎に項目の並び方向において表示画面１６の表示領域１８内に全ての項目が表示できるか否かを判断する。表示制御部３３は、複数のリスト２１ａ〜２１ｊを縮小するか、または選択された特定の項目を同時に並べて表示画面１６に表示する際に、判断部３２により全ての項目が表示できないと判断されたリスト２１ａ〜２１ｊについて、並び方向の最も後ろに配置される項目から前に向かってスクロールして項目を表示するよう制御する。
【００４３】
図１０は、複数のリスト２１ａ〜２１ｊを縮小して同時に並べて表示する際の処理の流れを示すフローチャートである。図１０を参照して、複数のリスト２１ａ〜２１ｊを縮小して同時に並べて表示する場合の処理の流れについて説明する。
【００４４】
図１０を参照して、第一の受け付け部３１は、表示の要求を受け付けたか否かを判断する（Ｓ２１）。第一の受け付け部３１により表示の要求を受け付けられると（Ｓ２１において、ＹＥＳ）、判断部３２は、リスト２１ａ〜２１ｊ毎に項目の並び方向において表示画面１６の表示領域１８内に全ての項目が表示できるか否か、すなわち、各リスト２１ａ〜２１ｊの表示において、スクロールの有無を判断する（Ｓ２２）。具体的には、上記したように項目を並べた際の矢印Ｄ１で示す並び方向の長さＬ２をリスト２１ａ〜２１ｊ毎に算出する。そして、スクロールの有無をリスト２１ａ〜２１ｊ毎に判断する。そして、表示制御部３３は、判断結果に応じて、各リスト２１ａ〜２１ｊを縮小して、同時に並べて表示するよう制御する（Ｓ２３）。
【００４５】
図１１は、各リスト２１ａ〜２１ｊを縮小して、同時に並べて表示した表示画面１６の一例の一部を示す図である。図１１を参照して、表示画面１６には、縮小されたリスト２１ａ、２１ｂ、２１ｅが表示されている。他のリスト２１ｃ、２１ｄ、２１ｆ〜２１ｊの図示は省略している。図１１において、リスト２１ａ、２１ｂについては、並び方向の最も後ろに配置される項目から前に向かってそれぞれ矢印Ｄ１で示す向きと逆の向きでスクロールして表示されている。リスト２１ｅについては、そのまま表示されている。
【００４６】
このようにして、全てのリストを表示した後（Ｓ２４において、ＹＥＳ）、リスト２１ａ〜２１ｊの一部を表示して、処理を終了する（Ｓ２５）。
【００４７】
このように構成することにより、所定のカテゴリー毎に分類されているリスト２１ａ〜２１ｊの全容の把握が容易になる。この場合、リスト２１ａ〜２１ｊをそれぞれ移行しながら一旦全ての項目を表示するよりも、時間の効率化を図ることができる。
【００４８】
なお、この実施の形態においては、表示制御部３３は、リストを縮小して同時に並べる場合について説明したが、これに限らず、表示制御部３３は、選択された特定の項目を同時に並べて表示画面１６に表示する際にも適用される。すなわち、表示制御部３３は、選択された特定の項目を同時に並べて表示画面１６に表示する際に、判断部３２により全ての項目が表示できないと判断されたリスト２１ａ〜２１ｊについて、並び方向の最も後ろに配置される項目から前に向かってスクロールして項目を表示するよう制御する。
【００４９】
また、この実施の形態においては、スクロールが終了してリスト２１ａ〜２１ｊ内の項目の全ての一定時間の表示を終えたものについては、その表示領域、すなわち、ウィンドウを閉じるようにしてもよい。すなわち、表示制御部３３は、スクロールが終了したリスト２１ａ〜２１ｊを閉じて非表示とするよう制御する。そして、閉じた領域を利用するように、スクロール中のリスト２１ａ〜２１ｊの表示を拡大することにしてもよい。こうすることにより、より視認性を良好にすることができる。また、非表示とせず縮小することにしてもよい。なお、表示制御部３３は、リストに属する項目が全くなければ、その旨をリストに表示するよう制御することとしてもよい。
【００５０】
なお、この実施の形態においては、表示制御部３３は、スクロールが終了したリスト２１ａ〜２１ｊを閉じて非表示または縮小した際に、その他の項目を拡大して表示するよう制御するようにしてもよい。その他の項目とは、スクロールが終了していないリスト２１ａ〜２１ｊの項目である。
【００５１】
また、この実施の形態においては、全てのスクロールの終了する時間を合わせるよう調整してもよい。すなわち、表示制御部３３は、全てのリスト２１ａ〜２１ｊが同じタイミングでスクロールを終了するように各リスト２１ａ〜２１ｊのスクロール速度を調整して表示するよう制御することにしてもよい。こうすることにより、スクロールの速度を認識して、各リスト２１ａ〜２１ｊにおける項目数の量を把握することができる。
【００５２】
なお、この実施の形態においては、表示制御部３３は、タブの直下に特定の項目を選択表示するよう制御することにしてもよい。
【００５３】
また、上記の実施の形態においても、携帯端末装置制御部１２が、第一の受け付け部３１等を備えることとしたが、これに限らず、表示装置１３自体が制御部を含み、この制御部に第一の受け付け部３１等を備える構成としてもよい。
【００５４】
なお、この発明のさらに他の実施形態に係る表示方法については、以下の構成としてもよい。すなわち、表示方法は、所定のカテゴリー毎に分類され、複数の項目が所定の順序で並べられた複数のリストを表示可能な表示方法である。表示方法は、複数のリストの表示の要求を受け付ける工程と、受け付ける工程により表示の要求を受け付ければ、リスト毎に項目の並び方向において表示画面の表示領域内に全ての項目が表示できるか否かを判断する工程と、複数のリストを縮小するか、または選択された特定の項目を同時に並べて表示画面に表示する際に、判断する工程により全ての項目が表示できないと判断されたリストについて、リスト中の全ての項目を一旦表示してから全ての項目のうちの一部を表示するよう制御する工程とを備える。このような表示方法によると、ユーザーの利便性を向上することができる。
【００５５】
また、この発明のさらに他の実施形態に係るプログラムは、以下の構成としてもよい。すなわち、プログラムは、コンピューターに、所定のカテゴリー毎に分類され、複数の項目が所定の順序で並べられた複数のリストの表示の要求を受け付ける受け付け機能、表示の要求を受け付ければ、リスト毎に項目の並び方向において表示画面の表示領域内に全ての項目が表示できるか否かを判断する判断機能、および複数のリストを縮小するか、または選択された特定の項目を同時に並べて表示画面に表示する際に、判断機能により全ての項目が表示できないと判断されたリストについて、リスト中の全ての項目を一旦表示してから全ての項目のうちの一部を表示するよう制御する表示制御機能を実現させるためのプログラムであってもよい。
【００５６】
なお、以下のような構成とすることもできる。すなわち、表示装置は、複数に分類された機能のアイコンを表示可能である。表示装置は、情報を表示する表示画面と、アイコンを表示画面に並べて表示するよう制御するアイコン表示制御部と、アイコン表示制御部により表示されたアイコンのいずれかの選択を受け付ける選択受け付け部と、選択受け付け部により受け付けられたアイコンに表示された機能の詳細設定を、アイコンの並び方向と交差する方向に一旦全て表示した後、その一部を非表示とするよう制御する詳細設定表示制御部とを備える。このような構成としてもよい。
【００５７】
なお、このような表示装置は、たとえば、画像形成等、画像情報を処理する複合機のような情報処理装置に組み込まれて使用される。図１２は、この発明のさらに他の実施の形態に係る表示装置を情報処理装置としての複合機に適用した場合の複合機の構成を示すブロック図である。
【００５８】
図１２を参照して、複合機５１は、画像処理に関し、複写機能、プリンター機能、ファクシミリ機能等、複数の機能を有する。複合機５１は、複合機制御部５２と、操作部５３と、読み取り部５４と、画像形成部５５と、給紙カセット５６と、複合機ハードディスク５７と、ネットワーク（図示せず）と接続するための複合機ネットワークインターフェース部５８とを備える。
【００５９】
複合機制御部５２は、複合機５１全体の制御を行う。なお、複合機制御部５２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ５９を含む。操作部５３は、この発明のさらに他の実施形態に係る表示装置６４を含む。操作部５３は、複合機５１側から発信される情報やユーザーの入力内容を表示する表示部としてのタッチパネル型式の表示画面６１を含む。操作部５３は、印刷部数や階調等の画像形成の条件といった画像形成に関するユーザーからの入力を受け付ける。読み取り部５４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）６２を含む。読み取り部５４は、ＡＤＦ６２または不図示の載置台上にセットされた原稿の画像を読み取る。給紙カセット５６は、複数設けられており、それぞれ複数枚の用紙をその内部に収納することができる。画像形成部５５は、読み取り部５４により読み取られた原稿の画像データや図示しないネットワークを介して送信された画像データを基に、給紙カセット５６から搬送されてきた用紙に画像を形成する。複合機ハードディスク５７は、送信された画像データや入力された画像形成条件等、画像形成に関するデータを記憶する。
【００６０】
ここで、複合機制御部５２の構成について説明する。複合機制御部５２は、第一の受け付け部６６と、アイコン表示制御部６７と、選択受け付け部６８と、詳細設定表示制御部６９とを備える。第一の受け付け部６６は、アイコンの表示の要求を受け付ける。アイコン表示制御部６７は、第一の受け付け部６６によりアイコンの表示の要求を受け付ければ、アイコンを表示画面６１に並べて表示するよう制御する。選択受け付け部６８は、アイコン表示制御部６７により表示するよう制御されたアイコンのいずれかの選択を受け付ける。詳細設定表示制御部６９は、選択受け付け部６８により選択が受け付けられたアイコンに表示された機能の詳細設定を、アイコンの並び方向と交差する方向に一旦全て表示した後、その一部を非表示とするよう制御する。この場合、詳細設定表示制御部６９は、機能の詳細設定をアイコンの並び方向と垂直な方向に表示するよう制御する。これらの構成については、後に詳述する。
【００６１】
次に、このような複合機５１を利用して、複数に分類された機能のアイコンを表示する場合について説明する。図１３は、複数に分類された機能のアイコンを表示する際の処理の流れを示すフローチャートである。図１２および図１３を参照して、まず、第一の受け付け部６６は、アイコンの表示の要求を受け付ける（Ｓ３１）。具体的には、例えば、表示画面６１のタップの検知等、いわゆるスリープモードからの復帰動作が挙げられる。
【００６２】
第一の受け付け部６６によりアイコンの表示の要求を受け付けると（Ｓ３１において、ＹＥＳ）、アイコン表示制御部６７は、アイコンを表示する（Ｓ３２）。この場合、表示画面６１に複数のアイコンを並べて表示する。
【００６３】
図１４は、複数のアイコンが並べて表示された表示画面６１の一例を示す図である。図１４を参照して、表示画面６１には、４つのアイコン７１ａ、７１ｂ、７１ｃ、７１ｄが、図１４中の矢印Ｄ３で示す横向きに並べて表示されている。各アイコン７１ａ〜７１ｄは、複合機５１の画像形成に関する設定を行う際に利用されるアイコンである。具体的には、アイコン７１ａには、「濃度」と示されており、アイコン７１ａのタップを検知することにより、画像形成における濃度の詳細設定を行うことができる。アイコン７１ｂには、「画質」と示されており、アイコン７１ｂのタップを検知することにより、画像形成における画質の詳細設定を行うことができる。アイコン７１ｃには、「倍率」と示されており、アイコン７１ｃのタップを検知することにより、画像形成における倍率の詳細設定を行うことができる。アイコン７１ｄには、「部数」と示されており、アイコン７１ｄのタップを検知することにより、画像形成における部数の詳細設定を行うことができる。これらのアイコン７１ａ〜７１ｄは、左右方向、すなわち、図１４中の矢印Ｄ３で示す向き、またはその逆の向きに移動可能な構成である。すなわち、アイコン７１ａ〜７１ｄをスライドさせて、いずれかのアイコン７１ａ〜７１ｄを表示画面６１の中央に位置させることができる。
【００６４】
図１４に示すにアイコン７１ａ〜７１ｄが表示画面６１に表示された後、選択受け付け部６８は、アイコン７１ａ〜７１ｄのいずれかの選択を受け付ける。この選択については、詳細設定を行う際に選択されるものである。この場合、「倍率」の詳細設定を行うアイコン７１ｃが選択されたとする。この選択については、アイコン７１ｃをスライドさせて、表示画面６１の中央に位置させたことによるものである。
【００６５】
図１５は、アイコン７１ｃの選択が受け付けられた場合に表示される表示画面６１の一例を示す図である。図１５を参照して、アイコン７１ｃが選択されれば（Ｓ３３において、ＹＥＳ）、詳細設定表示制御部６９は、アイコン７１ｃに表示された機能の詳細設定を、アイコン７１ｃの並び方向と交差する方向に一旦全て表示する（Ｓ３４）。この場合、詳細設定表示制御部６９は、機能の詳細設定をアイコン７１ｃの並び方向と垂直な方向、具体的には、矢印Ｄ４で示す向きまたはその逆の向きに表示するよう制御する。
【００６６】
また、詳細設定表示制御部６９は、機能の詳細設定を、中央からスクロールして表示するよう制御する。具体的には、アイコン７１ｃの下側の領域７２ａから、縮小する倍率として「９０％」、「８０％」、「７０％」という具合に、１０％ずつ倍率を区切って下側にスクロールして表示する。また、アイコン７１ｃの上側の領域７２ｂから、拡大する倍率として「１１０％」、「１２０％」、「１３０％」という具合に、１０％ずつ拡大する倍率を区切って上側にスクロールして表示する。この場合、上記した図３等に示すバー２６を併せて表示することにしてもよい。
【００６７】
詳細設定表示制御部６９は、一旦全てを表示した後、その一部を非表示にする。この場合、詳細設定の一部、具体的には、中央から最も遠い機能の詳細設定を表示する（Ｓ３５）。図１６は、中央から最も遠い機能の詳細設定を表示した場合の表示画面６１の一例を示す図である。図１６を参照して、表示画面６１には、４つのアイコン７１ａ〜７１ｄと、アイコン７１ｃの上側の領域７３ｂに配置された「２００％」と示された機能の詳細設定と、アイコン７１ｃの下側の領域７３ａに配置された「１０％」と示された機能の詳細設定とが表示されている。ユーザーは、これらの領域７３ａ、７３ｂの表示を見て、アイコン７１ｃをタップして設定される「倍率」の詳細設定について、上限値が「２００％」、下限値が「１０％」である旨を把握することができる。
【００６８】
このように構成することにより、複数に分類された機能のアイコン７１ａ〜７１ｄを表示画面６１に表示する際に、アイコン７１ｃに表示された機能の詳細設定を、アイコン７１ｃの並び方向と交差する方向に一旦全て表示した後、その一部を非表示とするよう制御することとしている。そうすると、機能の詳細設定の全てを表示された際に、機能の詳細設定の全てをユーザーが把握することができる。また、全てを一旦表示した後、一部を非表示としているため、機能の詳細設定の表示によって表示画面６１の表示が見にくくなることを抑制することができる。したがって、ユーザーの利便性を向上することができる。
【００６９】
この場合、機能の詳細設定をアイコン７１ｃの並び方向と垂直な方向に表示しているため、他のアイコン７１ａ、７１ｂ、７１ｄの視認の妨げとなることはない。
【００７０】
また、この場合、中央から最も遠い機能の詳細設定を表示しているため、いわゆる限界の機能の詳細設定を容易に把握することができる。
【００７１】
なお、上記の実施の形態において、詳細設定表示制御部６９は、全ての機能の詳細設定を一旦表示した後、全て非表示とするよう制御することとしてもよい。こうすることにより、より表示画面６１の表示を見やすくすることができる。
【００７２】
また、上記の実施の形態においては、詳細設定表示制御部６９は、機能の詳細設定が全くなければ、その旨を表示画面６１に表示するよう制御することとしてもよい。具体的には、たとえば、アイコン７１ｃをタップした場合において、画像の拡大ができない場合には、「拡大はできません。」との表示をアイコン７１ｃの上側に一定期間表示するようにしてもよい。こうすることにより、機能の詳細設定のない旨を容易にユーザーが把握することができる。
【００７３】
なお、上記の実施の形態において、スクロールして中央から最も遠い機能の詳細設定を表示することとしたが、これに限らず、最も遠い機能の詳細設定を一定時間表示した後、逆スクロールして、中央から最も近い機能の詳細設定を表示することとしてもよい。
【００７４】
また、上記の実施の形態において、選択受け付け部６８による選択の受け付けは、アイコン７１ａ〜７１ｄを表示画面６１の中央にスライドさせることにより行ったが、これに限らず、たとえば、アイコン７１ａ〜７１ｄのタップの検出や、アイコン７１ａ〜７１ｄの長押しの検出により選択を受け付けることとしてもよい。
【００７５】
なお、上記の実施の形態において、所定のジェスチャーに基づいて、アイコン７１ａ〜７１ｄの表示が斜め方向に移動したり、領域７２ａ、７２ｂ、７３ａ、７３ｂの表示がアイコン７１ａ〜７１ｄの移動する方向に対して傾斜して表示されるようにしてもよい。
【００７６】
また、上記の実施の形態において、複合機制御部５２が、第一の受け付け部６６等を備えることとしたが、これに限らず、表示装置６４自体が制御部を含み、この制御部に第一の受け付け部６６等を備える構成としてもよい。
【００７７】
なお、この発明の他の実施形態に係る表示方法については、以下の構成としてもよい。すなわち、表示方法は、複数に分類された機能のアイコンを表示可能な表示方法である。表示方法は、アイコンの表示の要求を受け付ける工程と、受け付ける工程によりアイコンの表示の要求を受け付ければ、アイコンを表示画面に並べて表示するよう制御する工程と、表示するよう制御する工程の後に、表示されたアイコンのいずれかの選択を受け付ける工程と、選択を受け付ける工程の後に、選択が受け付けられたアイコンに表示された機能の詳細設定を、アイコンの並び方向と交差する方向に一旦全て表示した後、その一部を非表示とするよう制御する工程とを備える。このような表示方法によると、ユーザーの利便性を向上することができる。
【００７８】
また、この発明のさらに他の実施形態に係るプログラムは、以下の構成としてもよい。すなわち、プログラムは、コンピューターに、アイコンの表示の要求を受け付ける受け付け機能、受け付け機能によりアイコンの表示の要求を受け付ければ、アイコンを表示画面に並べて表示するよう制御する機能、制御する機能により並べて表示するよう制御されたアイコンのいずれかの選択を受け付ける選択受け付け機能、および選択受け付け機能により選択が受け付けられたアイコンに表示された機能の詳細設定を、アイコンの並び方向と交差する方向に一旦全て表示した後、その一部を非表示とするよう制御する詳細設定表示制御機能を実現させるためのプログラムであってもよい。
【００７９】
なお、上記した実施の形態によれば、表示装置には、携帯端末装置や情報処理装置が含まれることとしたが、これに限らず、表示装置には、他の情報処理装置、たとえば、パーソナルコンピューターやスマートフォン等が含まれることとしてもよい。もちろん、上記した表示方法やプログラム等についても、これらのような情報処理装置に適用することができる。
【００８０】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００８１】
この発明に係る表示装置、表示方法、およびプログラムは、ユーザーの利便性の向上が要求される場合に、特に有効に利用される。
【符号の説明】
【００８２】
１１  携帯端末装置、１２  携帯端末装置制御部、１３，６４  表示装置、１４  テンキー、１５  機能選択キー、１６，６１  表示画面、１７  不揮発性メモリ、１８  表示領域、２１ａ，２１ｂ，２１ｃ，２１ｄ，２１ｅ，２１ｆ，２１ｇ，２１ｈ，２１ｉ，２１ｊ  リスト、２２ａ，２２ｂ，２２ｃ，２２ｄ，２３ａ，２３ｂ，２３ｃ，２３ｄ，２３ｅ，２３ｆ，２３ｇ，２３ｈ，２３ｉ，２３ｊ，２４ａ，２４ｂ，２４ｃ，２４ｄ，２４ｅ  項目、２５ａ，２５ｂ，２５ｃ  端部、２６  バー、２７ａ，２７ｂ，７１ａ，７１ｂ，７１ｃ，７１ｄ  アイコン、２８  マーク、３１，６６  第一の受け付け部、３２  判断部、３３  表示制御部、５１  複合機、５２  複合機制御部、５３  操作部、５４  読み取り部、５５  画像形成部、５６  給紙カセット、５７  複合機ハードディスク、５８  複合機ネットワークインターフェース部、５９  主記憶メモリ、６２  ＡＤＦ、６３  載置台、６７  アイコン表示制御部、６８  選択受け付け部、６９  詳細設定表示制御部、７２ａ，７２ｂ，７３ａ，７３ｂ  領域。
【図１】
2018120477.tif 000003
【図２】
2018120477.tif 000004
【図３】
2018120477.tif 000005
【図４】
2018120477.tif 000006
【図５】
2018120477.tif 000007
【図６】
2018120477.tif 000008
【図７】
2018120477.tif 000009
【図８】
2018120477.tif 000010
【図９】
2018120477.tif 000011
【図１０】
2018120477.tif 000012
【図１１】
2018120477.tif 000013
【図１２】
2018120477.tif 000014
【図１３】
2018120477.tif 000015
【図１４】
2018120477.tif 000016
【図１５】
2018120477.tif 000017
【図１６】
2018120477.tif 000018